【事件の表示】
　平成　７年特許願第　１３３１５号「２段ダイヤル装置」拒絶査定に対する審判事件［平成　８年　８月　９日出願公開、特開平　８−２０１９００］について、次のとおり審決する。
【結　論】
　本件審判の請求は、成り立たない。
【理　由】
１．手続の経緯・本願発明　
　本願は、平成７年１月３１日の出願であって、その請求項１に係る発明は、平成１２年１月３１日付けの手続補正書で補正された明細書及び図面の記載からみて、その特許請求の範囲の請求項１に記載された次のとおりのものと認める。（以下、「本願発明」という。）「第１の情報設定を行う第１ダイヤルと、第２の情報設定を行う第２ダイヤルと、第１の情報設定に用いる第１パターンと、第２の情報設定に用いる第２パターンが形成された基板と、第１ダイヤルに連動し第１パターン上を摺接する第１摺接部材と、第２ダイヤルに連動し第２パターン上を摺接する第２摺接部材と、前記第１ダイヤルと第２ダイヤルを同軸上で回動可能に支持するとともに、内部に前記基板を固定支持する外装部材とを備えたことを特徴とする２段ダイヤル装置。」なお、平成１４年４月３日付け手続補正は却下された。
　
２．引用例　
　これに対して、原査定の拒絶の理由に引用された、本願出願前日本国内において頒布された刊行物である、実願昭５７−１８３３４７号（実開昭５９−８７０２４号）のマイクロフィルム（以下、「引用例１」という。）には、次の事項が記載されている。
「第１図に示す軸受けブロツク１は軸受け部１ａ，縦穴部１ｂ，外周溝１ｃ，凹部１Ｄ，円周方向に伸びた長孔１ｅを有し、カメラボデイー２に固定されている。第１外部操作部材であるシヤツターダイヤル３は文字板３ａ，ダイヤル軸３ｂ，底部３ｃ，クリツク穴３Ｄを有し、軸受けブロツク１の軸受け部１ａをダイヤル軸３ｂが貫通していて回転可能となっている。この文字板３ａにはシヤツター速度の数値が書かれている。クリツクボール５は軸受けブロツク１の縦穴部１ｂ内に配置されたクリツクばね６によってクリツク穴３Ｄ側に付勢されている。ＡＳＡ感度目盛り板７は文字板７ａ，円周方向長孔７ｂ，櫛歯７ｃによって構成され、軸受けブロツク１の外周溝１ｃと係合し回転可能になっている。その文字板７ａにはＡＳＡ感度，露出補正の数値が書かれている。第２外部操作部材であるＡＳＡ／露出補正ダイヤル８は櫛歯ロツクピン８ａ，連動ピン８ｂ，指標面８ｃによって構成され、ＡＳＡ感度目盛り板７に対峙して回転可能に設置されている。指標面８ｃにはＡＳＡ感度の数値を設定するときにその数値に対応するよう目印の指標が一カ所に刻まれている。・・・カメラカバー１０にはシヤツターダイヤル３の文字板３ａに書かれたシヤツター速度とＡＳＡ感度目盛り板７の文字板７ａに書かれた露出補正値とを設定するとき目印となる指標が一カ所に刻まれている。ＡＳＡ／露出補正ダイヤル８に連動する連動部材であるＡＳＡブラシ支持ブロツク１１は切り欠き部１１ａとそのブロツク１１の回転中心である中空部１１ｂとを有し、軸受けブロツク１の軸受け部１ａの外周にある凹部１Ｄに回転可能に設置されている。シヤツター速度ブラシ１２はカシメ部１３でシヤツターダイヤル３の底部３ｃにカシメられている。ＡＳＡ感度ブラシ１４はカシメ部１５でＡＳＡブラシ支持ブロツク１１の底面にカシメられている。第１電気用接片は複数のシヤツター速度ブラシ１２で構成され、第２電気用接片は複数のＡＳＡ感度ブラシ１４で構成されている。プリント基板１６は軸受けブロツク１に数本のビス１７によって固定され、その裏面に第１電気接点であるシヤツター速度パターン１８がプリントされ、その表面に第２電気接点であるＡＳＡ感度パターン１９がプリントされている。」（第４頁第１５行〜第７頁第１行）
「シヤツター速度を設定するとき第１図に示すシヤツターダイヤル３の文字板３ａに刻まれたシヤツター速度数値いずれかをカメラカバー１０に刻まれた目印の指標に合わせる。その際、シヤツターダイヤル３はカメラボデイー２に固定された軸受けブロツク１の軸受け部１ａ内のダイヤル軸３ｂを中心に回動する。底部３ｃにカシメられたシヤツター速度ブラシ１２（第１電気用接片）はプリント基板１６のシヤツター速度パターン１８（第１電気接点）上を摺動している。・・・次に、フイルムＡＳＡ感度を設定するとき第１図に示すＡＳＡ／露出補正ダイヤル８の指標面８ｃに刻まれた指標をＡＳＡ感度目盛り板７に書かれているフイルムＡＳＡ感度に合わせる。その際、撮影者の手によって指標が刻まれているＡＳＡ／露出補正ダイヤル８をウエーブワシヤーばね９に抗して上方につまみ上げ櫛歯ロツクピン８ａをＡＳＡ感度目盛り板７の櫛歯７ｃから外す。そして、ＡＳＡ／露出補正ダイヤル８をシヤツターダイヤル３のダイヤル軸３ｂ中心に回転させ、それに伴って連動ピン８ｂが円周方向長孔１ｅ，７ｂを貫いてＡＳＡブラシ支持ブロツク１１の切り欠き部１１ａを押圧してそのブロツク１１を回動させている。・・・それによって、ＡＳＡ／露出補正ダイヤル８の指標面８ｃに刻まれた指標がＡＳＡ感度目盛り板７に書かれた１つの適正なフイルムＡＳＡ感度に合わせられる。ＡＳＡ／露出補正ダイヤル８と連動して動くＡＳＡブラシ支持ブロツク１１にカシメられたＡＳＡ感度ブラシ１４（第２電気用接片）はプリント基板１６のＡＳＡ感度パターン１９上を摺動する。・・・次に、露出補正値を設定するときに第１図に示すＡＳＡ感度目盛り板７に書かれた露出補正値をカメラカバー１０に刻まれた前述した指標に合わせる。このＡＳＡ感度目盛り板７は櫛歯７ｃとＡＳＡ／露出補正ダイヤル８の櫛歯ロツク部８ａとが係合しているため前記ダイヤル８を回転させることで共に回転する。そして、ＡＳＡ／露出補正ダイヤル８とＡＳＡ感度目盛り板７とを共に回転させるために補正ボタン２０を押圧して板ばね２１の櫛歯ロツク部２１ａを櫛歯７ｃからはずす。露出補正ダイヤル８の回転によって連動ピン８ｂと係合している切り欠き部１１ａを有するＡＳＡブラシ支持ブロツク１１が回動する。それによって、プリント基板１６のＡＳＡ感度パターン１９上をＡＳＡ感度ブラシ１４が摺動して前述したフイルムＡＳＡ感度の設定位置から前述ブラシ１４を移動させて露出補正を行う。」（第７頁第５行〜第１０頁第１７行）
　また、第１図の記載からシヤツターダイヤル３とＡＳＡ／露出補正ダイヤル８が同軸上で回転可能に軸受けブロツク１と軸受けブロツク１に支持されたＡＳＡ感度目盛り板７によりそれぞれ支持されていることが読みとれる。
　上記記載事項から、引用例１には「シヤツター速度の設定を行うシヤツターダイヤルと、フイルムＡＳＡ感度および露出補正値の設定を行うＡＳＡ／露出補正ダイヤルと、シヤツター速度の設定に用いるシヤツター速度パターンと、フイルムＡＳＡ感度および露出補正値の設定に用いるＡＳＡ感度パターンがプリントされたプリント基板と、シヤツターダイヤルに連動しシヤツター速度パターン上を摺動するシヤツター速度ブラシと、ＡＳＡ／露出補正ダイヤルに連動しＡＳＡ感度パターン上を摺動するＡＳＡ感度ブラシと、シヤツターダイヤルは軸受けブロツクの軸受け部をシヤツターダイヤルのダイヤル軸が貫通していて回転可能になっており、ＡＳＡ／露出補正ダイヤルは軸受けブロツクの外周溝と係合し回転可能になっているＡＳＡ感度目盛り板に対峙して回転可能に設置されており、シヤツターダイヤルとＡＳＡ／露出補正ダイヤルは同軸上で回転可能となっており、プリント基板は軸受けブロツクに数本のビスによって固定されている」ことが記載されていると認められる。
　
３．対比　
　そこで、本願発明と前記引用例１に記載されたものとを対比すると、引用例１に記載された「シヤツター速度の設定」、「シヤツターダイヤル」、「フイルムＡＳＡ感度および露出補正値の設定」、「ＡＳＡ／露出補正ダイヤル」、「シヤツター速度パターン」、「ＡＳＡ感度パターン」、「プリント」、「プリント基板」、「摺動」、「シヤツター速度ブラシ」及び「ＡＳＡ感度ブラシ」は、それぞれ本願発明の「第１の情報設定」、「第１ダイヤル」、「第２の情報設定」、「第２ダイヤル」、「第１パターン」、「第２パターン」、「形成」、「基板」、「摺接」、「第１摺接部材」及び「第２摺接部材」に相当する。また、引用例１に記載されたシヤツターダイヤルとＡＳＡ／露出補正ダイヤルは異なる情報設定を行うダイヤルでありこれらのダイヤルが同軸上で回動可能となっているものであるから２段ダイヤル装置に相当し、シヤツターダイヤルは軸受けブロツクの軸受け部により回転可能となっているから軸受けブロックに回転可能に支持されたものであり、ＡＳＡ／露出補正ダイヤルは軸受けブロツクの外周溝と係合するＡＳＡ感度目盛り板に対峙して回転可能に設置されているからＡＳＡ／露出補正ダイヤルはＡＳＡ感度目盛り板を介してはいるが軸受けブロツクに回動可能に支持されているといえる。また、引用例１に記載されたプリント基板は軸受けブロツクに数本のビスによって固定されており第１図も参照するとカメラの内部に固定支持されているといえる。そうすると、両者は、
「第１の情報設定を行う第１ダイヤルと、第２の情報設定を行う第２ダイヤルと、第１の情報設定に用いる第１パターンと、第２の情報設定に用いる第２パターンが形成された基板と、第１ダイヤルに連動し第１パターン上を摺接する第１摺接部材と、第２ダイヤルに連動し第２パターン上を摺接する第２摺接部材と、前記第１ダイヤルと第２ダイヤルを同軸上で回動可能に支持するとともに、内部に前記基板を固定支持する部材とを備えたことを特徴とする２段ダイヤル装置。」の点で一致し、
　第１ダイヤル、第２ダイヤル及び基板を支持する部材が本願発明では外装部材であるのに対し、引用例１に記載されたものは軸受けブロツクである点（以下、「相違点」という。）で両者は相違している。
　
４．当審の判断　
　そこで上記相違点について検討する。
　ダイヤルを外装部材で回動可能に支持することは周知（特開平６−８２８９４号公報、登録実用新案公報第３００４５９９号、特開平４−１４７２３１号公報、特開平２−１０５１１９号公報参照）であり、該周知技術を引用例１に記載されたものに適用して第１ダイヤル及び第２ダイヤルを外装部材で回動可能に支持するようにすることは当業者であれば容易になし得ることである。また、その際に基板も外装部材に固定支持する必要があることは自明のことでありそのようにする程度のことは単なる設計的事項にすぎない。
　
５．むすび　
　したがって、本願発明は、引用例１に記載された発明および周知技術に基づいて当業者が容易に発明をすることができたものであるので、特許法第２９条第２項の規定により特許を受けることができない。　
　よって、結論のとおり審決する。